(57)【要約】【課題】  寝たきりペット（主に犬）のオムツ替え時における、ペットと介護者の負担の軽減を目的とする。【解決手段】  予めペットの胴部に巻いた伸縮素材のベルトに、前端にはミシン目で分割可能な、後端には縦スリットで二分割された伸縮素材を用いた吸収体のオムツ本体を接着テープで固定する。オムツ本体は尻尾脇まで続く吸収素材の両脇を山形に高くし、防水素材の前端を折り返すことによって尿の横漏れ、前漏れ、糞の横漏れを防ぐ。また尻尾の開口部周辺には、オムツとの接合面にタックを付け常に空間を保つ、防水素材の風船状の糞漏れ防止用のカバーを付ける。【選択図】  図４
2006122039.tif 000002
【特許請求の範囲】
【請求項１】
予めペットの胴部に巻いておく伸縮素材のベルトと、吸収体のオムツ本体からなる二部式の寝たきりペット用紙オムツ。
【請求項２】
オムツ本体前部にはミシン目を、後部にはスリットで二分割された伸縮素材を用いることにより、装着し易く、横臥による体形の左右のバランスの変化にもフィットする寝たきりペット用紙オムツ。
【請求項３】
吸収素材の両脇を山形に高くすることにより、舟形の溝が形成され、尿や糞の横漏れを防ぐ寝たきりペット用紙オムツ。
【請求項４】
失禁など一度に大量に排出された尿の前漏れを防ぐため、オムツ本体の防水素材の前端を内側に折り返した寝たきりペット用紙オムツ。
【請求項５】
オムツ本体の尻尾開口部からの糞の漏れによる、周囲の汚れを防ぐため、尻尾開口部周辺から尻尾の途中までを覆う防水素材の風船状のカバーを付けた寝たきりペット用紙オムツ。
【発明の詳細な説明】
【技術分野】
【０００１】  本発明は寝たきりペット（主に犬）やその介護者の負担を軽減するためのペット用紙オムツの改良である。
【背景技術】
【０００２】  ペット用紙オムツは尻尾を穴に通し、胴部で両脇を接着テープで止めるものが主流である。
【発明の開示】
【発明が解決しようとする課題】
【０００３】  寝たきりペット（主に犬）のオムツ替えは、その度にペットの胴部を持ち上げなければならず、そのためペットは嫌がり、苦痛を感じるものもいる。その上横臥による体形の左右のバランスの変化で、きちんと装着することが難しく、体とオムツとの間に隙間ができ、尿や糞が横漏れすることが多い。失禁など一度に大量の尿が排出される場合にはオムツ前端からの漏れもある。また従来のペット用紙オムツは尻尾を穴に通して使用するが、穴が小さいため、はかせるときにはペットの毛並みに逆らって尻尾を通しにくく、脱がせるときには穴周辺に付着した糞で尻尾を汚すことがある。また穴から漏れた糞で床などを汚すことがある。
【課題を解決するための手段】
【０００４】  幅広の伸縮素材のベルトを予めペットの胴部に巻く。この表面腹側の接着テープはオムツ本体の前端部を固定、背中側の接着テープはオムツ本体後端部の固定及びベルトの装着を兼ねる。（請求項１）
オムツ本体前部と後部に伸縮素材を用いる。オムツ本体前部の伸縮素材には分割出来るように縦中心にミシン目を入れる。後部の伸縮素材はスリットで縦二分割し、その各々を必要に応じて伸張させ、ベルトに接着することで、より体にフィットさせることができる。（請求項２）
オムツ本体の吸収素材の両脇を山形に高くする。これによって形成された舟形の溝の部分に尿道口と肛門を挟む形となる。（請求項３）
大量の尿に対処するため、防水素材の前端を内側に折り返す。（請求項４）
尻尾を囲むように防水素材で糞漏れ防止用カバーを付ける。このカバーはタックで立ち上がりを持たせて風船状を成し、カバーとオムツとの間に出来た空間に漏れた糞が止まる。このカバーは尻尾の運動を妨げないようにゆとりを持たせる。（請求項５）
【発明の効果】
【０００５】  ベルトとオムツ本体との二部式にすることにより、一度のベルト着用で数回のオムツ替えが可能になる。これによってオムツ替え時のペットと介護者の負担が軽減できる。特に体重の重い大型犬ではその効果は大きい。（請求項１）
オムツ本体の前部と後部に分割可能及び分割された伸縮素材を用いることによって、横臥による体形の左右のバランスの変化にもフィットし、両脇を山形にした吸収素材により尿や糞の横漏れ、加えて防水素材の前端の折り返しにより尿の前漏れを防止できる。また尻尾を穴に通すのではなくスリットにしたことによって、オムツをはかせるのが簡単になり、脱がせるときも尻尾を汚すことがない。（請求項２，３，４）
オムツがきちんと装着されていれば、吸収素材の両脇を高くすることによって出来た舟形の溝に糞は排出され、尻尾開口部からの漏れは殆ど無くなるが、糞漏れ防止用カバーを付けることによってこれが完全になる。（請求項５）
ペットの高齢化に伴い増加する寝たきりペットの介護は、飼い主にとって避けられない問題である。本発明によってペットと介護者が共に精神的、肉体的に安楽な日々を過ごせるものと確信する。
【発明を実施するための最良の形態】
【０００６】  図面を参照して説明する。図１、図２はベルト１及びオムツ本体２をそれぞれ外側と内側から見た平面図である。まず接着テープ６ａ、６ｂは接着テープ７、８ａ、８ｂに対応するものである。ベルト１の外側には中心線（ペットの臍の延長線上）に対称に接着テープ６ａ、６ｂを配する。図３ペットの胴部に巻くベルト１は接着テープ左端６ｂと右端７あるいは右端６ｂと左端７によって接着される。これはペットが左右どちらを上に寝ていても装着し易くするためである。接着テープ６ｂはまたオムツ本体後部接着テープ８ｂとによりオムツ本体２を固定するものであるので、接着テープの長さは、ペットが横臥して体形の左右のバランスが変化していることを考慮の上、オムツの横幅以上なければならない。幅はオムツ本体２の伸縮素材５を伸張させて使用することもあるので、接着テープ８ｂよりも広めにしなければならない。オムツ前部では接着テープ６ａは８ａと接着する。これも同様に接着テープ６ａの幅は８ａよりも広めにしなければならない。こうしてベルト１とオムツ本体２を固定したものが図４、図５である。（請求項１）
オムツ本体２は前後部に伸縮素材４、５を配してオムツを縦方向にフィットさせ、尿や糞の横漏れを防いでいるが、前部伸縮素材４をミシン目１６で裂き、後部伸縮素材５と共に片方ずつを伸張させることにより、オムツの左右のフィット性を変え、より横漏れを防ぐことができる。（請求項２）
図６は図２の横断面図である。吸収素材９の両脇を山形に高くすることによって形成された尻尾脇まで続く舟形の溝１８に尿道口と肛門は収まり、ペットが横臥していても尿や糞は山形部分１７と両脇を高くした防水素材１０で横漏れを防ぐことが出来る。山形部分１７は吸収体前後部では次第に平面状となり体との隙間をなくす。（請求項３）
吸収体前端では防水素材前端１１を内側に折り返し、両脇の立ち上がりの端部と接着することによって前漏れを防ぐことができる。（請求項４）
図１、１２の糞漏れ防止用のカバーはオムツ尻尾開口部２０を風船状に防水素材で覆い、尻尾開口部２０から漏れた糞をこの中に止まらせるものである。そのためには図９のように  オムツ本体２とカバー１２の接合面にタック１９を付け、常に空間が保たれるようにする。また図８尻尾２１の上下左右の運動により、その空間が潰されるのを防ぎ、カバー１２が尻尾からずり下がるのを防ぐため、カバー尻尾開口部１４は幅を広めにとり、ハリのある素材を使用するか、カバー１２の端部を折り返す。このカバー１２の尻尾上部のオムツ本体２との接合面は、スリット１５で二分割された伸縮素材５と吸収体の境目にあるので、この伸縮素材５がベルト１に固定されればカバー１２も同時に装着される。そして尻尾開口部１４からスリット１５に沿い接着テープ１３で接着する。尻尾の太さはその個体によって様々であるので、接着テープ１３は幅を広めにしておかなければならない。糞漏れ防止用カバー１２は風船状で柔らかく、押さえて接着することが難しいので接着テープ１３はスリット１５との接合点上までは付けず、介護者はそこから指を入れ、カバーの外と内から押さえて接着する。（請求項５）
【図面の簡単な説明】
【０００７】
【図１】ベルトとオムツ本体の平面図（外側）
【図２】ベルトとオムツ本体の平面図（内側）
【図３】ベルト両端のテープの接着の実施図
【図４】オムツ実施形態の斜視図（背側）
【図５】オムツ実施形態の斜視図（腹側）
【図６】吸収体の横断面図
【図７】吸収体の斜視図（前部防水素材の折り返しの実施図）
【図８】糞漏れ防止用カバーの実施形態の斜視図
【図９】糞漏れ防止用カバーの縦断面図
【図１０】糞漏れ防止用カバーの展開図
【符号の説明】
【０００８】  １    ベルト
２    オムツ本体
３    伸縮素材  ベルト
４    伸縮素材  オムツ前部
５    伸縮素材  オムツ後部
６ａ  接着テープ  ベルト外側（腹側）
６ｂ  接着テープ  ベルト外側（両端）
７    接着テープ  ベルト内側（両端）
８ａ  接着テープ  オムツ本体（前部）
８ｂ  接着テープ  オムツ本体（後部）
９    吸収素材
１０    防水素材
１１    防水素材折り返し
１２    糞漏れ防止用カバー
１３    糞漏れ防止用カバー接着テープ
１４    糞漏れ防止用カバー尻尾開口部
１５    スリット
１６    ミシン目
１７    山形部分
１８    溝
１９    タック
２０    オムツ尻尾開口部
２１    尻尾
２２    表面シート
【図１】
2006122039.tif 000003
【図２】
2006122039.tif 000004
【図３】
2006122039.tif 000005
【図４】
2006122039.tif 000006
【図５】
2006122039.tif 000007
【図６】
2006122039.tif 000008
【図７】
2006122039.tif 000009
【図８】
2006122039.tif 000010
【図９】
2006122039.tif 000011
【図１０】
2006122039.tif 000012